(57)【要約】【課題】ボルトやナット等の締結具を、スペースが制約された狭い場所で締付部材に締結するのに適した、締結用ソケット及びそれを用いたインパクト工具を提供することを課題とする。【解決手段】インパクト工具本体１の先端に着脱可能な締結用ソケット６０は、下端部６１ｂと上端部６１ａを有する柱状体６１と、柱状体６１の上端部６１ａに形成され、インパクト工具本体１の先端に着脱される着脱部６３と、柱状体６１の下端部６１ｂより軸方向の所定の高さｈ２に延在し、締結具７１の外周部に係合する大きさを持つ多角形穴部６４と、柱状体６１の多角形穴部６４の上部に連続し、締結具７１の外周部の一部に当接するように、柱状体６１の軸方向に形成された座ぐり穴部６２と、柱状体６１の多角形穴部６４に軸方向と垂直な径方向に形成された開口部６５であって、ボルト７０の締結部７１の外周部が多角形穴部６４の内周面に係合するように、該開口部６５より締結部７１を多角形穴部６４に挿入可能な開口部６５とを具備する。【選択図】図４
2006175541.tif 000002
【特許請求の範囲】
【請求項１】
ボルト、ナット等の締結具を締結する締結用ソケットであって、インパクト工具本体の先端に着脱可能な締結用ソケットにおいて、
下端部と上端部を有する柱状体と、
前記柱状体の上端部に形成され、インパクト工具本体の先端に着脱される着脱部と、
前記柱状体の下端部より該柱状体の軸方向の所定の高さに延在し、前記締結具の外周部に係合する大きさを持つ多角形穴部と、
前記柱状体の前記多角形穴部の軸方向上部に連続し、前記締結具の外周部の一部に当接するように、前記柱状体の軸方向に形成された座ぐり穴部と、
前記柱状体の前記多角形穴部に軸方向と垂直な径方向に形成された開口部であって、前記締結具の外周部が前記多角形穴部の内周面に係合するように、該開口部より前記締結具を前記多角形穴部に挿入可能な開口部とを具備したことを特徴とする締結用ソケット。
【請求項２】
前記下端部、前記上端部、及び前記着脱部を連通して前記柱状体の軸芯に沿って形成された貫通穴を更に備え、該貫通穴内に前記締結具に螺合するねじ軸を挿入するようにしたことを特徴とする請求項１に記載された締結用ソケット。
【請求項３】
前記着脱部は、前記上端部より前記軸方向に突出する多角形台形部を有し、該多角形台形部が前記インパクト工具本体の先端に設けられる装着穴に嵌合できる構成としたことを特徴とする請求項１または２に記載された締結用ソケット。
【請求項４】
駆動源となるモータの回転軸と同一方向の水平軸線に沿って、一端部から他端部に延在する胴体ハウジング部であって、該胴体ハウジング部の一端部には前記モータが装着され、該胴体ハウジング部の他端部には回転打撃力を出力する先端工具保持部が装着され、該胴体ハウジング部の前記一端部と前記他端部の間の中間部には、前記モータの回転軸方向に回転力を伝達する動力伝達機構部、前記回転打撃力を与えるインパクト機構部、及び前記インパクト機構部の回転打撃力を前記先端工具保持部へ伝達するアンビルが装着された胴体ハウジング部と、
前記水平軸線と垂直な垂直軸線または該垂直軸線と直角以内の角度で交わる斜軸線に沿って、前記胴体ハウジング部より垂下するハンドルハウジング部と、
前記先端工具保持部に着脱可能に取付けられた、ボルト、ナット等の締結具を締結する締結用ソケットとを具備するインパクト工具において、
前記胴体ハウジング部の前記中間部には、前記水平軸線と同一方向の前記モータの回転軸を、前記水平軸線と垂直な垂直回転軸に変換する回転軸変換機構部を装着することによって、前記先端工具保持部に取付けられた前記締結用ソケットの回転軸を垂直回転軸に変換し、
前記締結用ソケットは、前記垂直回転軸と同一軸方向に延びる柱状体と、該柱状体の上端部に形成され、前記先端工具保持部に取付けられる着脱部と、前記柱状体の下端部より該柱状体の軸方向の所定の高さに延在し、ボルト、ナット等の締結具の外周部に係合する大きさを持つ多角形穴部と、前記柱状体の前記多角形穴部の軸方向上部に連続し、前記締結具の外周部の一部に当接するように、前記柱状体の軸方向に形成された座ぐり穴部と、前記柱状体の前記多角形穴部に前記軸方向と垂直な径方向に形成された開口部であって、前記締結具の外周部が前記多角形穴部の内周面に係合するように、該開口部より前記締結具を前記多角形穴部に挿入可能な開口部とから成ることを特徴とするインパクト工具。
【請求項５】
前記胴体ハウジング部に装着された前記回転軸変換機構部は、前記アンビルの出力軸に接続され前記水平軸線と同一方向の第１回転軸を有する第１の傘歯車と、該第１の傘歯車と噛合い前記垂直軸線と同一方向の第２回転軸を有する第２の傘歯車と、該第２の傘歯車の回転軸を回転軸として配置された第１の平歯車を含み該第１の平歯車の回転を前記先端工具保持部に垂直回転軸の回転として伝達する平歯車伝達機構部とを具備することを特徴とする請求項４に記載されたインパクト工具。
【請求項６】
前記締結用ソケットの前記下端部、前記上端部及び前記着脱部と、前記先端工具保持部とを連通して前記締結用ソケットの垂直回転軸に沿って形成された貫通穴を備え、該貫通穴内に前記締結具に螺合するねじ軸を挿入するようにしたことを特徴とする請求項４または５に記載されたインパクト工具。
【発明の詳細な説明】
【技術分野】
【０００１】
本発明は、ねじ締め回転方向に打撃もしくは衝撃を与えて回転させることによりねじを強固に締め付けることができるレンチとして機能するインパクト工具に関し、特に、インパクト工具に使用される締結用ソケット及びそれを用いたインパクト工具に関する。
【背景技術】
【０００２】
一般にインパクト工具は、駆動源となるモータの回転軸と同一方向の水平軸線に沿って、一端部から他端部に延在する胴体ハウジング部を有し、その胴体ハウジング部の一端部には駆動源となるモータが装着され、その他端部の先端には回転打撃力を出力する先端工具保持部が装着される。また、胴体ハウジング部の中間部には、モータの回転軸方向に回転力を伝達する動力伝達機構部（減速機構部）、回転打撃力を与えるインパクト機構部、及びインパクト機構部の回転打撃力を先端工具保持部へ伝達するアンビルが装着される。そして、胴体ハウジング部の先端工具保持部には、ボルト、ナット等の締結具を締結する締結用ソケットが着脱可能に取付けられる。一方、胴体ハウジング部の一端部には、把持部となるハンドルハウジング部が垂下した形に一体接続される。所謂、胴体ハウジング部とハンドルハウジング部との一体構造はＴ字形形状となるインパクト工具が一般的である。このようなインパクト工具は、例えば、下記特許文献１の図１１に示されている。
【０００３】
一方、下記特許文献２に開示されているように、Ｔ字形形状のインパクト工具の使用において、締結具の頭上部のスペースが狭く、インパクト工具の胴体ハウジング部の長さに受ける制約を解消するために、胴体ハウジング部の先端工具保持部に取付ける締結用ソケットの代わりに、胴体ハウジング部の軸線と垂直方向に沿って長く延びるアタッチメントを取付け、そのアタッチメントの先端側に締結用ソケットを取付けたインパクト工具が公知である。
【０００４】
また、下記特許文献３に開示されるように、特に、管継手を締結するソケットレンチにおいて、Ｔ字形形状のエルボ型の管継手（締結具）に使用される締結用ソケットとして、エルボ型管継手の締結具にソケットを係合し易くするために、エルボ型の形状に対応して円柱状締結用ソケットの径方向に開放部を形成した構造が公知である。
【０００５】
【特許文献１】特開２００２−２５４３３４号公報
【特許文献２】特開平８−２０６９６９号公報
【特許文献３】特開平８−７１９３１号公報
【発明の開示】
【発明が解決しようとする課題】
【０００６】
しかしながら、上記特許文献１の図１１に示されたような、Ｔ字形形状のインパクト工具によりボルトやナットを締付ける際には、上記インパクト工具の先端工具保持部に取付けられる、例えば六角形穴を有する締結用ソケットの回転軸は、上記胴体ハウジングが延在する軸線と同一方向となる。その結果、ボルトやナット等の締結具の頭上部に、ボルトやナットによって締付けられる部材または他の部材が存在する場合には、インパクト工具の胴体ハウジング部の長さに対応した作業スペースの確保が困難となり、締結用ソケットの回転軸方向からボルトやナットの締結具にインパクト工具の締結用ソケットを係合させることが出来なくなるという問題を生じる。このために、スパナ等を使用した手作業による締付け作業や、ボルトやナットを手で回し込む作業が発生し、ボルト、ナット等の締結作業に手間と時間を要する場合があった。
【０００７】
一方、上記特許文献２に示された技術によれば、インパクト工具にアタッチメントを介して締結用ソケットを取付ける場合、ある程度狭い場所においてもインパクト工具の使用が可能となる。しかし、締結用ソケットをボルト、ナット等の締結具に係合し、または締結具から取外すためのスペースを必要とし、締結具の頭上部に極めて接近してボルトやナットによって締付けられる部材（締付部材）または他の部材が存在する場合には、通常の締結用ソケットの使用が困難となる。
【０００８】
更に、上記特許文献３に示された技術によれば、エルボ型管継手の締結具にソケットを係合し易くするために、エルボ型の継手形状に対応して円柱状締結用ソケットの径方向に開放部を形成している。しかし、この締結用ソケットもエルボ型管継手の一部に形成された締結具の頭上部より、そのソケットを下ろして係合するので、締結具の頭上部に広いスペースを必要とする。
【０００９】
本発明の目的は、ボルトやナット等の締結具を、スペースが制約された狭い場所で締付部材に締結するのに適した、締結用ソケット及びそれを用いたインパクト工具を提供することにある。特に、ボルトやナット等の締結具による締付け部材の上部に充分な作業スペースが確保できない場所に適用して、締結作業効率の向上を図ることが可能な締結用ソケット及びそれを用いたインパクト工具を提供することにある。
【００１０】
本発明の前記及びその他の目的、ならびに新規な特徴は、本明細書の以下の記述及び添付図面から更に明らかにされる。
【課題を解決するための手段】
【００１１】
本願において開示される発明のうち、代表的なものの概要を説明すれば、以下の通りである。
【００１２】
（１）本発明によるインパクト工具本体の先端に着脱可能な締結用ソケットは、下端部と上端部を有する柱状体と、前記柱状体の上端部に形成され、インパクト工具本体の先端に着脱される着脱部と、前記柱状体の下端部より該柱状体の軸方向の所定の高さに延在し、前記締結具の外周部に係合する大きさを持つ多角形穴部と、前記柱状体の前記多角形穴部の軸方向上部に連続し、前記締結具の外周部の一部に当接するように、前記柱状体の軸方向に形成された座ぐり穴部と、前記柱状体の前記多角形穴部に前記軸方向と垂直な径方向に形成された開口部であって、前記締結具の外周部が前記多角形穴部の内周面に係合するように、該開口部より前記締結具を前記多角形穴部に挿入可能な開口部とを具備したことを特徴とする。
【００１３】
（２）本発明による上記（１）項の締結用ソケットにおいて、前記下端部、前記上端部、及び前記着脱部を連通して前記柱状体の軸芯に沿って形成された貫通穴を更に備え、該貫通穴内に前記締結具に螺合するねじ軸を挿入するようにしたことを特徴とする。
【００１４】
（３）本発明による上記（１）項または上記（２）項の締結用ソケットにおいて、前記着脱部は、前記上端部より前記柱状体の軸方向に突出する多角形台形部を有し、該多角形台形部が前記インパクト工具本体の先端に設けられる装着穴に嵌合できる構成としたことを特徴とする。
【００１５】
（４）本発明によるインパクト工具は、駆動源となるモータの回転軸と同一方向の水平軸線に沿って、一端部から他端部に延在する胴体ハウジング部であって、該胴体ハウジング部の一端部には前記モータが装着され、該胴体ハウジング部の他端部には回転打撃力を出力する先端工具保持部が装着され、該胴体ハウジング部の前記一端部と前記他端部の間の中間部には、前記モータの回転軸方向に回転力を伝達する動力伝達機構部、前記回転打撃力を与えるインパクト機構部、及び前記インパクト機構部の回転打撃力を前記先端工具保持部へ伝達するアンビルが装着された胴体ハウジング部と、前記水平軸線と垂直な垂直軸線または該垂直軸線と直角以内の角度で交わる斜軸線に沿って、前記胴体ハウジング部より垂下するハンドルハウジング部と、前記先端工具保持部に着脱可能に取付けられた、ボルト、ナット等の締結具を締結する締結用ソケットとを具備するインパクト工具において、前記胴体ハウジング部の前記中間部には、前記水平軸線と同一方向の前記モータの回転軸を、前記水平軸線と垂直な垂直回転軸に変換する回転軸変換機構部を装着することによって、前記先端工具保持部に取付けられた前記締結用ソケットの回転軸を垂直回転軸に変換し、前記締結用ソケットは、前記垂直回転軸と同一軸方向に延びる柱状体と、該柱状体の上端部に形成され、前記先端工具保持部に取付けられる着脱部と、前記柱状体の下端部より該柱状体の軸方向の所定の高さに延在し、ボルト、ナット等の締結具の外周部に係合する大きさを持つ多角形穴部と、前記柱状体の前記多角形穴部の軸方向上部に連続し、前記締結具の外周部の一部に当接するように、前記柱状体の軸方向に形成された座ぐり穴部と、前記柱状体の前記多角形穴部に前記軸方向と垂直な径方向に形成された開口部であって、前記締結具の外周部が前記多角形穴部の内周面に係合するように、該開口部より前記締結具を前記多角形穴部に挿入可能な開口部とから成ることを特徴とする。
【００１６】
（５）本発明による上記（４）項のインパクト工具において、前記胴体ハウジング部に装着された前記回転軸変換機構部は、前記アンビルの出力軸に接続され前記水平軸線と同一方向の第１回転軸を有する第１の傘歯車と、該第１の傘歯車と噛合い前記垂直軸線と同一方向の第２回転軸を有する第２の傘歯車と、該第２の傘歯車の回転軸を回転軸として配置された第１の平歯車を含み該第１の平歯車の回転を前記先端工具保持部に垂直回転軸の回転として伝達する平歯車伝達機構部部とを具備することを特徴とする。
【００１７】
（６）本発明による上記（４）項または上記（５）のインパクト工具において、前記締結用ソケットの前記下端部、前記上端部及び前記着脱部と、前記先端工具保持部とを連通して前記締結用ソケットの垂直回転軸に沿って形成された貫通穴を備え、該貫通穴内に前記締結具に螺合するねじ軸を挿入するようにしたことを特徴とする。
【発明の効果】
【００１８】
本発明に従う上記（１）項の締結用ソケットによれば、締結用ソケットの開口部を通してボルトやナット等の締結具の外周部に当接するように、該締結具の径方向より締結用ソケットを移動することによって、その多角形穴部内に締結具の外周部を係合させるので、該締結具の上方、即ち締結具の回転軸方向に充分なスペースを確保する必要がなく、締結用ソケットを締結具に当接させることができる。このとき、上記締結用ソケットの座ぐり穴部は、該座ぐり穴部内にボルト、ナット等の締結具の頭部を掛止させる機能を有するので、締結用ソケットは締結具より外れ難くなるように保持することができる。
【００１９】
本発明に従う上記（４）項のインパクト工具によれば、工具本体に取付けられた締結用ソケットは上記（１）項と同一な構造を持つことにより、ボルト、ナット等の締結具の径方向より該締結用ソケットを移動させて係合させ、保持させることができる。更に、係合させた状態で、インパクト工具本体の先端工具保持部に取付けられた締結用ソケットの垂直回転軸の回転によって、締結具を締付けることができる。従って、該締結具の上方、即ち締結具の回転軸方向に充分なスペースを確保することなく、締結作業が可能となる。
【発明を実施するための最良の形態】
【００２０】
以下、本発明の実施の形態を図面に基づいて詳細に説明する。なお、実施の形態を説明するための全図において、同一の機能を有する部材には同一の符号を付し、その繰り返しの説明は省略する。
【００２１】
図１は本発明に従うインパクト工具全体を示す破断側面図、図２は図１に示したインパクト工具に用いられた締結用ソケットの正面図（ｃ）及びその断面図（ｂ）、上面図（ａ）、下面図（ｅ）、ならびに側面図（ｄ）である。
【００２２】
まず、図１及び図２を参照して、本発明に従う締結用ソケット及びそれを用いたインパクト工具全体について説明する。
【００２３】
最初に、図１を参照してインパクト工具全体について説明する。本発明に従うインパクト工具１は、後述するモータ７の回転軸と同一方向の水平軸線Ｘに沿って、一端部（図面の右端部）から他端部（図面の左端部）に延在する胴体ハウジング部２と、水平軸線Ｘと垂直な垂直軸線Ｙ１または該垂直軸線Ｙ１と直角以内の角度θで交わる斜軸線Ｚに沿って、前記胴体ハウジング部２より垂下するハンドルハウジング部３とを具備する。
【００２４】
胴体ハウジング部２の一端部には、駆動源となるモータ７が装着され、胴体ハウジング部２の他端部には回転打撃力を出力する先端工具保持部５１が装着される。胴体ハウジング部２の中間部には、モータ７の回転軸方向（Ｘ軸方向）に回転力を伝達する動力伝達機構部（減速機構部）１２、前記回転打撃力を与えるインパクト機構部２０、該インパクト機構部２０の回転打撃力を先端工具保持部５１へ伝達するアンビル２１、及び水平軸線Ｘと同一方向の前記モータ７の回転軸を、水平軸線と垂直な垂直回転軸Ｙ２に変換する回転軸変換機構部３０が装着されている。回転軸変換機構部３０によって変換された垂直回転軸Ｙ２は、平歯車回転伝達機構部５０を介して、先端工具保持部５１に垂直回転軸として伝達される。先端工具保持部５１のソケット保持部５２には、ボルト、ナット等の締結具７１（図３参照）を締結するための締結用ソケット（先端工具）６０が着脱可能に取付けられている。
【００２５】
ハンドルハウジング部３には、モータ７の駆動電源となる電池パックケース４がハンドルハウジング部３の下端部に着脱可能に装着されている。電池パックケース４は電池パック本体５を有し、該電池パック本体５の大半はハンドルハウジング部３内に挿入され、収容される。電池パック本体５はスイッチ６を介してモータ７に電気的接続されている。
【００２６】
モータ７の回転軸８の回転力は、回転軸８端に設けられたギヤ歯に係合された減速機構部（遊星ギヤ列）１２を介して、インパクト機構部２０の一部を構成するスピンドル１３に伝達される。動力伝達機構部（以下、「減速機構部」と称する場合がある）１２は、前記回転軸８に設けられたピニオンギヤ（サンギヤ）９と、そのピニオンギヤ９に噛合う複数の遊星ギヤ１０と、該遊星ギヤ１０に噛合うインターナルギヤ（リングギヤ）１１とによって構成され、これらはインナーカバー２ａに組み込まれている。スピンドル１３は、この減速機構部１２によって、モータ７の回転に対し減速された回転力が与えられる。
【００２７】
インパクト機構部２０は、アルミ合金等の金属材料から成るハンマーケース２ｂ内に収納され、減速機構部１２を介して回転力が与えられるスピンドル１３と、スピンドル１３に取り付けられ、スピンドル１３の回転軸方向に移動可能に係合し、回転打撃力を与えるハンマー１５と、ハンマー１５による回転打撃力で回転し、出力軸２２を有するアンビル２１とを備える。上記ハンマー１５は、スピンドル１３を囲むリング域で、スピンドル１３に対して軸方向にスライド自在にされていると共に、ばね１４によって軸方向前方へと付勢されている。ハンマー１５の内周面には、断面形状が逆Ｖ字型（略三角形）の溝１５ａが設けられており、ハンマー１５の先端面にはアンビル２１と係合して回転動力をアンビル２１に伝えると共に衝撃トルクをアンビル２１に付与する打撃部（爪部）１６が突設されている。一方、スピンドル１３の外周面には軸方向に、Ｖ字型のカム溝１３ａが設けられており、このカム溝１３ａとハンマー１５内溝１５ａ間に挿入された鋼球１７を介してハンマー１５が回転する。この時、被締付物（加工物）のボルト、ナット等の締結具を回転させるための負荷トルクよりもハンマー１５の回転トルクの方が小さいと、ハンマー１５は、カム溝１３ａに沿ってばね１４を圧縮しつつ後退し、打撃部１６がアンビル２１との結合から離れた時点から、ハンマー１５はアンビル２１を乗り越え、更にハンマー１５は、ばね１４による付勢とカム溝１３ａによるガイドを受けて、回転しつつ前進し、打撃部１６で回転前方のアンビル２１に衝撃トルクを与える。この衝撃トルクは、後述する締結用ソケット本体６０へ伝わり、更にソケット本体６０からボルト、ナット等の締結具に衝撃トルクを伝えて締結或いは締結解除を行う。
【００２８】
回転軸変換部３０は、例えばアルミ合金製のギヤケース２ｄ内に収納され、上記アンビル２１の出力軸２２に接続された、前記水平軸線Ｘと同一方向の第１回転軸２３を有する第１の傘歯車２５と、該第１の傘歯車２５と噛合い、垂直軸線（Ｙ２）と同一方向の第２回転軸２７を有する第２の傘歯車２６と、該第２の傘歯車２６の回転軸２７を回転軸として配置された第１の平歯車３１を含む平歯車伝達機構部５０とを具備している。第１の傘歯車２５は軸受２４を介し、また第２の傘歯車２６は軸受２８を介してそれぞれアルミ合金製のギヤケース２ｄに保持されている。アルミ合金製のギヤケース２ｄは、アルミ合金製のアダプタ２ｃを介して、ハンマーケース２ｂに取付けられている。
【００２９】
平歯車伝達機構部５０は、ギヤケース２ｄに取付けられたアルミ合金製の上側フレーム５４と下側フレーム５３に収納され、第２の傘歯車２６の回転軸２７に配置された第１の平歯車３１を含み、更に該第１の平歯車３１に対して組合せられた、互いに噛合う複数（６個）の平歯車３２〜３７を含む。各平歯車３２〜３７は、上側フレーム５４と下側フレーム５３間に構成された固定軸４１〜４５に軸受４１ａ〜４５ａを介して取付けられている。上側フレーム５４と下側フレーム５３は、ボルト５５及び５６とナット５７及び５８によって一体に組立てられている。上側フレーム５４と下側フレーム５３の先端には鋼材から成る先端工具保持部５１が平歯車３７を介して噛合って、垂直回転軸が伝達されている。先端工具保持部５１の下面には、後述する締結用ソケット６０の着脱部（六角形突出部）６３が嵌合する多角形穴部５１ａが形成され、その底面に磁石５２が取付けられてソケット６０が脱落しないように保持される。
【００３０】
以上のインパクト工具の構成により、インパクト機構部２０で作られた水平回転軸（Ｘ）を持つ回転打撃力は、回転軸変換部３０を通して、先端工具保持部５１において垂直回転軸（Ｙ）を持つ回転打撃力として伝達され、先端工具保持部５１に取付けられた締結用ソケット６０によって締結具７１（図３参照）を締付けることができる。
【００３１】
次に、本発明に従う締結用ソケット６０について図２を参照して説明する。
【００３２】
締結用ソケット６０は、例えば鋼材の柱状体６１から成る。該柱状体６１の上端部６１ａには着脱部６３が形成される。着脱部６３は、例えば六角形突出部より成り、上述した先端工具保持部５１の穴部５１ａに嵌合されて、磁石５２の磁力により保持される。また柱状体６１には、図２（ｄ）に示されるように、その下端部６１ｂより柱状体６１軸方向の所定の高さｈ２に延在する多角形穴部６４が形成される。多角形穴部６４は、例えば六角形穴部であって、ボルト、ナット等の六角形形状の締結具７１（図３参照）の外周部に係合する大きさを持つ。
【００３３】
柱状体６１の多角形穴部６４の軸方向上部には、締結具７１の外周部の一部に当接するように、柱状体６１の軸方向に形成された座ぐり穴部６２が形成されている。座ぐり穴部６２の径は、例えば六角形穴部６４に係合するボルト、ナット等の六角形平面形状の対角線の長さに相当する寸法またはそれ以上の寸法を有する。図２（ｄ）に示されるように、座ぐり部６２の高さｈ１は、上記多角形穴部６４の高さｈ２より高く、後述する図３に示すように、締結具７０の締結部（ボルト）の高さｈ３より低い寸法となっている。これによって、後述する図４に示すように、多角形穴部６４に係合するボルト、ナット等の締結具７０の締結部７１は、座ぐり穴部６２内に当接もしくは掛止して、締結用ソケット６０より外れないように保持できる。
【００３４】
一方、柱状体６１の多角形穴部６４には、柱状体６１軸方向と垂直な径方向に開口部６５が形成される。この開口部６５は、締結具の外周部が多角形穴部６４の内周面に係合するように、該開口部６５より前記締結具を該多角形穴部６４内に挿入可能とする。つまり開口部６５は、柱状体６１の径方向（水平軸方向）のソケット６０の移動により、多角形穴部６４内に締結具を掛止させる機能を有する。
【００３５】
次に、以上説明した本発明に従うインパクト工具１を使用して締結作業を行う場合の操作例について、図３及び図４を参照して説明する。
【００３６】
図３及び図４は、締付部材（締付基礎部材）８１に、被締付部材８０を、締結具であるボルト７０によって締付ける締結作業例の状態図である。図３は締結用ソケット６０を締結部７１に係合する前の状態を示し、図４は締結用ソケット６０を締結部７１に係合した後の状態を示す。
【００３７】
本例の場合は、被締付部材８０は、「コ」の字形断面形状を持つ鉄骨部材で、ボルト７０の六角形形状締結部７１の頭上に突出する突出部８０ａを持つ。このために、ボルト７０の六角形締結部７１と突出部８０ａの離間寸法（スペース）Ｌは充分長い寸法とすることが不可能である。即ち、従来のように、インパクト工具１に取付けられた締結用ソケット６０を、ボルト７０の軸方向上方より移動させて、ボルト７０の六角形締結部７１に係合させることは不可能である。
【００３８】
本発明に従えば、上述し図３に示すように、締結用ソケット６０の座ぐり部６２の高さｈ１は、ボルト７０の締結部７１の高さｈ３より低い寸法、即ち、ｈ１≦ｈ３の関係を有する。また、締結用ソケット６０の開口部６５はボルト締結部７１の軸心方向に開放されている。このために、制約された離間寸法Ｌの中でも、締結作業が可能となる。
【００３９】
本発明に従う締結用ソケット６０は開口部６５を有するので、図３に示すように、まずインパクト工具１を水平方向Ｘ（ボルト締結部７１の回転軸と垂直径方向）に移動することによって、締結用ソケット６０の開口部６５より、ボルト７０の締結部７１を締結用ソケット６０内の多角形穴部（六角形穴部）６４に係合させる。次いでインパクト工具１を垂直下方向Ｙに僅かに移動することによって、ボルト締結部７１の頭部を締結用ソケット６０の座ぐり部６２内に掛止させる。図４はボルト締結部７１の頭部を締結用ソケット６０の座ぐり部６２内に掛止させた状態を示す。座ぐり穴部６２による掛止によって締結用ソケットは締結作業中にボルト締結部７１より外れ難くなる。図４の状態に締結用ソケット６０をボルト７０の締結部７１に係合させたら、インパクト工具１のスイッチ６（図１参照）をオン（把持）させて、上述したようにインパクト工具１本体によって出力された回転打撃力を締結用ソケット６０に伝達させ、締結作業を行うことができる。このとき、寸法Ｌを持つスペース部には、インパクト工具１の先端工具保持部（５１）のフレーム５３及び５４によって組立てられた比較的薄い板状構成部のみを移動すれば良く、インパクト工具本体１のハンドルハウジング部３は狭いスペース部（寸法Ｌ部）より離間された場所に位置させることができるので、締結作業が容易となる。
【００４０】
図５は、本発明に従うインパクト工具の他の実施形態を示し、図５の（ａ）及び（ｂ）は、本発明の他の実施形態に従う締結用ソケット６０を示す上面図及び断面図、図５の（ｃ）は本発明の他の実施形態に従うインパクト工具１の部分破断側面図及びそのインパクト工具による締結作業の状態図を示す。
【００４１】
図１乃至図４に示した実施形態と異なる点は、図５（ａ）及び（ｂ）に示されるように、締結用ソケット６０は、ソケット貫通穴６６を有し、更に図５（ｃ）に示すように、インパクト工具１の先端工具保持部５１にも、ソケット貫通穴６６に対応して保持部貫通穴５９を有することにある。ソケット貫通穴６６及び保持部貫通穴５９は互いに連通する穴を形成する。これにより、図５（ｃ）に示すように、締付基礎部材（図示なし）より突出したねじ軸９０に螺合するナット９１を締付ける場合、インパクト工具１によってナット９１が軸方向下方へ締付けられるに従って、ねじ軸９０は、ソケット貫通穴６６及び保持部貫通穴５９を連通してインパクト工具１の先端工具保持部５１の上側へ突出することができる。従って、ねじ軸９０が長い場合でも、締結用ソケット６０内で底付きせずに締付け作業が可能となる。
【００４２】
以上の説明より明らかにされるように、本発明に従えば、締結用ソケットの開口部を通してボルトやナット等の締結具の外周部に当接するように、該締結具の径方向より締結用ソケットを移動することによって、その多角形穴部内に締結具の外周部を係合させるので、該締結具の上方、即ち締結具の回転軸頭上方向において充分なスペースを確保する必要がなく、締結用ソケットを締結具に当接させることができる。このとき、上記締結用ソケットの座ぐり穴部は、該座ぐり穴部内にボルト、ナット等の締結具の頭部を掛止させる機能を有するので、締結用ソケットは締結具より外れ難くなるように保持することができる。
【００４３】
また、本発明の他の実施形態に従えば、締結用ソケット及びインパクト工具の先端工具保持部の両者に連通する貫通穴を形成することにより、突出高さが高いねじ軸にナット等の締結具を締付けることが可能となる。
【００４４】
以上、本発明者によってなされた発明を実施の形態に基づき具体的に説明したが、本発明は上記実施の形態に限定されるものではなく、その要旨を逸脱しない範囲内で種々の変更が可能である。
【図面の簡単な説明】
【００４５】
【図１】本発明の実施形態に係るインパクト工具の全体断面図（側面図）。
【図２】図１に示したインパクト工具に用いられる締結用ソケットの構成図で、（ａ）は上面図、（ｂ）は断面図、（ｃ）は正面図、（ｄ）は側面図、及び（ｅ）は下面図。
【図３】図１に示したインパクト工具を使用して締結作業を行う場合の一状態図。
【図４】図１に示したインパクト工具を使用して締結作業を行う場合の他の状態図。
【図５】本発明の他の実施形態に係るインパクト工具の要部断面図で、（ａ）は締結用ソケットの上面図、（ｂ）は締結用ソケットの断面図（正面図）、及び（ｃ）は締結作業を行う場合の一状態を含むインパクト工具の要部断面図。
【符号の説明】
【００４６】
１：インパクト工具（インパクト工具本体）      ２：胴体ハウジング部
２ａ：インナーカバー      ２ｂ：ハンマーケース      ２ｃ：アダプタ
２ｄ：ギヤケース      ３：ハンドルハウジング部      ４：電池パックケース
５：電池パック本体      ６：スイッチ      ７：モータ
８：モータの回転軸      ９：ピニオンギヤ（サンギヤ）      １０：遊星ギヤ
１１：インターナルギヤ（リングギヤ）      １２：動力伝達機構部（減速機構部）
１３：スピンドル      １３ａ：Ｖ字型のカム溝      １４：ばね
１５：ハンマー      １５ａ：逆Ｖ字型（略三角形）の溝      １６：打撃部（爪部）
１７：鋼球      ２０：インパクト機構部      ２１：アンビル
２２：アンビルの出力軸      ２３：第１回転軸      ２４：軸受
２５：第１傘歯車      ２６：第２傘歯車      ２７：第２回転軸
２８：軸受    ３０：回転軸変換部      ３１：第１の平歯車
３２、３３、３４、３５、３６、３７：平歯車
４１、４２、４３、４４、４５：固定軸（回転軸）
４１ａ、４２ａ、４３ａ、４４ａ、４５ａ：軸受
５０：平歯車伝達機構部      ５１：先端工具保持部
５１ａ：先端工具保持部の多角形穴部      ５２：ソケット保持部（磁石）
５３：下側フレーム      ５４：上側フレーム      ５５、５６：ホルト
５７、５８：ナット      ５９：先端工具保持部の貫通穴      ６０：締結用ソケット
６１：柱状体      ６１ａ：柱状体の上端部      ６１ｂ：柱状体の下端部
６２：座ぐり穴部      ６３：着脱部（六角形突出部）
６４：多角形穴部（六角形穴部）      ６５：開口部      ６６：ソケット貫通穴
７０：ボルト（締結具）      ７１：締結具の頭部（締結部）      ８０：被締付部材
８０ａ：突出部      ８１：被締付部材（締付基礎部材）      ９０：ねじ軸
９１：ナット（締結具）
【図１】
2006175541.tif 000003
【図２】
2006175541.tif 000004
【図３】
2006175541.tif 000005
【図４】
2006175541.tif 000006
【図５】
2006175541.tif 000007